(57)【要約】【課題】  情報記録再生の信頼性を向上させることができる書き換え型多層光ディスクを提供するにある。【解決手段】  多層光ディスクでは、書き換え型の複数の記録層１０２，１０３のいずれかの層にピット列が形成されているリードインエンボス領域１０５が設けられ、他の領域は、情報が記録可能なグルーブ領域１０４−１，１０４−２に定められている。また、リードインエンボス領域１０５に対向する他の記録層１０３のグルーブ領域では、リードインエンボス領域１０５を検索する光ビームであってこの光ビームが照射される領域は、非記録領域に定められ、この領域を除くグルーブ領域１０４−１が実質的に情報が記録可能な領域に定められている。【選択図】  図１
2006252771.tif 000002
【特許請求の範囲】
【請求項１】
集束光ビームで記録マーク列を形成可能な少なくとも第１及び第２の記録層が透明基板で
支持され、前記集束光ビームが前記第１及び第２の記録層の一方を通過して前記第１及び
第２の記録層の他方を検索する構造を有する多層光ディスクを記録再生する光ディスク記
録再生装置であって、
前記第１の記録層上に消去不能の情報がピット列として記録されている再生専用の領域
が前記多層光ディスクの内周に設けられ、この再生専用の領域を除く他の領域が前記集束
光ビームで情報の書き込みが可能な第１の記録領域に定められ、
前記第２の記録層上に前記再生専用の領域に対向して非記録領域が前記多層光ディスク
の内周に設けられ、この非記録領域を除く他の領域が前記集束光ビームで情報の書き込み
が可能な第２の記録領域に定められ、
前記非記録領域は、前記第１の記録層上で前記再生専用領域を検索する前記集束光ビー
ムが前記第２の記録層上に照射される範囲を少なくとも有し、
前記再生専用の領域には、無効の情報が記録された無効情報のピット列及びこの無効情
報の外側に有効な情報が記録された有効情報のピット列が形成されている多層光ディスク
から情報を再生し、前記第１及び第２の記録層に情報を記録する光ディスク記録再生装置
。
【請求項２】
前記再生専用領域は、光ディスクのリードイン領域に設けられ、
かつ、前記有効情報のピット列は、前記有効情報のピット列に前記集束光ビームによっ
てビームスポットが形成される場合に、前記第２の記録層に形成されるビームパターンの
領域が前記非記録領域および前記第２の記録領域で形成される領域内となる位置にあるこ
とを特徴とする請求項１記載の光ディスク記録再生装置。
【発明の詳細な説明】
【技術分野】
【０００１】
この発明は、多層光ディスク及び光ディスク記録再生装置に関する。
【背景技術】
【０００２】
光ディスクには、種々のタイプがあり、読み出し専用型（ROMタイプ）、書き込み専用
で消去不能の追記型（Write-once タイプ）、データの消去書き換えが可能な書き換え型
（Rewritableタイプ、即ちRAMタイプ）がある。また、光ディスクとしてＣＤに比べてよ
り高密度で情報が記録されるＤＶＤディスクが開発されている。更に、より多くのデータ
を記録するためにディスク内の記録層を２層としているディスクが開発されている。
【０００３】
読み出し専用型であって２層構造を有するＤＶＤディスクとしては、例えば、特開平８
−２５５３４７公報（特許文献１）に開示されるように対物レンズに近い側に第１記録層
が設けられ、その背面に第２層が設けられているディスクがある。このディスクでは、そ
の第１記録層の内周側がリードイン領域及びその外周側がリードアウト領域に定められ、
第２層の外周側がリードイン領域及びその内周側がリードイン領域に定められ、第１記録
層のリードイン領域、第１記録層のリードアウト領域、第２層のリードアウト領域及び第
２層のリードイン領域と連続的に検索されて連続するデータを読み出し可能であるとして
いる。このような２層構造を有するＤＶＤディスクでは、読み出し専用型であることから
、第１記録層及び第２層ともに連続したピット列が形成され、このピット列がトラッキン
グされることによってデータが読み出される。
【０００４】
また、書き換え型のディスクには、例えば、相変化方式で書き換え可能なＤＶＤ−ＲＡ
Ｍがあるが、従来、知られている書き換え型のディスクは、１層の構造を有するタイプで
あって、未だ２層構造を有する書き換え可能なタイプは、開発されていない。この１層構
造のＤＶＤ−ＲＡＭでは、その大部分の領域にグルーブと呼ばれる案内溝、即ち、トラッ
キングガイドが形成され、この案内溝内或いは案内溝間のランドに、ユーザーが任意に情
報を相変化マーク列として記録することができる。また、このタイプのディスクでは、そ
の最内周のリードイン領域に案内溝ではなく、リードインエンボスと呼ばれるピット列が
設けられている。
【０００５】
このピット列はユーザーがこのディスクに任意の情報を記録する前に、光ディスク自体
の属性や使用条件等の情報を提供する目的で、ディスク基板成型時に表面の凹凸として記
録されている。
【特許文献１】特開平８−２５５３４７公報
【発明の開示】
【発明が解決しようとする課題】
【０００６】
上述したように従来、書き換え型光ディスクであって記録層を所定の間隔で多層化した
光ディスクは、開発されていない。このような書き換え型光ディスクの開発に際して、単
にＲＯＭディスクと同様に２層として、その一方或いは両方の層のリードイン領域にリー
ドインエンボス或いはリードアウトエンボスを設けることが想定される。しかし、このよ
うな構造のディスクでは、ある層のリードインエンボスとグルーブ領域との境界が検索さ
れる際にノイズが発生されて情報記録再生の信頼性が低下する可能性がある。
【０００７】
この発明は、上述した事情に鑑みなされたものであって、その目的は、情報記録再生の
信頼性を向上させることができる書き換え型多層光ディスク及びこの書き換え型多層光デ
ィスクの為の光ディスク記録再生装置を提供することにある。
【課題を解決するための手段】
【０００８】
この発明によれば、集束光ビームで記録マーク列を形成可能な少なくとも第１及び第２
の記録層が透明基板で支持され、前記集束光ビームが前記第１及び第２の記録層の一方を
通過して前記第１及び第２の記録層の他方を検索する構造を有する多層光ディスクを記録
再生する光ディスク記録再生装置であって、
前記第１の記録層上に消去不能の情報がピット列として記録されている再生専用の領域
が前記多層光ディスクの内周に設けられ、この再生専用の領域を除く他の領域が前記集束
光ビームで情報の書き込みが可能な第１の記録領域に定められ、
前記第２の記録層上に前記再生専用の領域に対向して非記録領域が前記多層光ディスク
の内周に設けられ、この非記録領域を除く他の領域が前記集束光ビームで情報の書き込み
が可能な第２の記録領域に定められ、
前記非記録領域は、前記第１の記録層上で前記再生専用領域を検索する前記集束光ビー
ムが前記第２の記録層上に照射される範囲を少なくとも有し、
前記再生専用の領域には、無効の情報が記録された無効情報のピット列及びこの無効情
報の外側に有効な情報が記録された有効情報のピット列が形成されている多層光ディスク
から情報を再生し、前記第１及び第２の記録層に情報を記録する光ディスク記録再生装置
が提供される。
【発明の効果】
【０００９】
この発明によれば、情報記録再生の信頼性を向上させる多層光ディスク及び多層光ディ
スクに情報を記録し、再生する装置を提供することが可能である。
【発明を実施するための最良の形態】
【００１０】
以下図面を参照して、この発明の実施の形態に係る多層光ディスク及び光ディスク記
録再生装置を説明する。
【００１１】
図１は、この発明の実施形に係る多層光ディスクを概略的に示す破断斜視図である。
【００１２】
図１に示される光ディスク１００は、書き換え型であって、多層、即ち、２層の記録層
１０２、１０３を備えている。この光ディスク１００では、第０記録層１０２及び第１記
録層１０３が微小間隔を空けて互いに対向されるように透明な光ディスク基板１０１内に
埋設されている。ここで、第０記録層１０２は、光ディスク基板１０１を介して光ビーム
を収束する対物レンズ（図示せず）に対向され、第１記録層１０３は、光ディスク基板１
０１及び第０記録層１０２を介して対向されている。即ち、第０記録層１０２がより第１
記録層１０３に比べて対物レンズに近接して配置され、何れも集束光ビームの光ビーム入
射方向Ｘに対面されている。
【００１３】
第０記録層１０２及び第１記録層１０３は、いずれもその内周から外周までの大部分の
領域が書き換え可能なデータ領域としてのグルーブ領域１０４−０，１０４−１に定めら
れ、このグルーブ領域１０４−０，１０４−１には、ユーザーが任意の情報を記録し、再
生するためにスパイラル状にグルーブが形成されている。第０記録層１０２及び第１記録
層１０３、特に、グルーブ領域１０４−０，１０４−１は、相変化型の記録材料で形成さ
れ、記録レベルの記録光ビームの照射によって相変化を起こしてマークが記録され、また
、消去レベルの消去光ビームの照射によって同様に相変化を起こしてそのマークが消去さ
れる。このマークが連続するマーク列は、このグルーブによって光ビームがガイドされ、
このグルーブに相当する溝内の底面に、或いは、この溝間のランドの平坦部に情報が記録
される。より高い密度で情報を記録する際には、溝内の底面に、或いは、この溝間のラン
ドの平坦部にマーク列が記録されて情報が記録される。再生時には、グルーブ及びランド
、或いは、いずれかが再生レベルの光ビームで検索され、その再生光ビームが強度変調さ
れる。
【００１４】
図１に示されるように第０記録層の最内周のリードイン領域には、光ディスク自体の属
性及び使用条件等の情報、例えば、物理的なフォーマット情報等が消去不能な再生専用情
報として記録されている再生専用の領域としてリードインエンボス領域１０５が設けられ
ている。このリードインエンボス領域１０５には、グルーブ領域とは異なり、グルーブが
設けられず、ピット列が連続して形成されている。このリードインエンボス領域１０５に
連接して、即ち、このリードインエンボス領域１０５外接してグルーブ領域が形成されて
いる。図１に示すディスクおいては、第０記録層では、グルーブ領域１０４−０がリード
インエンボス領域１０５の外周からその最外周に亘って形成され、その第１記録層では、
グルーブ領域１０４−１がその最外周からその最内周領域まで形成されている。第１記録
層１０３では、グルーブ領域１０４−１がその最外周からその最内周領域まで連続して形
成されていることから、図１に示されるように第０記録層１０２のリードインエンボス領
域１０５に対向する第１記録層の内周の領域は、２層構造のＲＯＭとは異なりピット列が
配列されたリードアウトエンボス領域が設けられず、リードアウト領域に定められても他
のグルーブ領域１０４−１と実質的に同一の物理的特性を有している。
【００１５】
また、グルーブ領域１０４−１では、リードインエンボス領域１０５にフォーカスされ
てこのリードインエンボス領域１０５を検索している光ビームであってこのエンボス領域
１０５を通過した光ビームが第１記録層１０３に照射される全ての領域は、全て非記録領
域に定められ、この非記録領域を除くグルーブ領域１０４−１が第１記録層１０３におけ
る実質的に情報が記録可能な領域に定められている。この記録可能な領域の境界は、後に
説明するように第１記録層１０３にフォーカスされる集束光ビームがリードインエンボス
領域１０５の外周端外のグルーブ領域１０４−０を通過してビームスポットをグルーブ領
域１０４−１上に形成する範囲を限界として定められる。この非記録領域、及び又は、第
１記録層１０３における実質的に情報が記録可能な領域は、リードインエンボス領域１０
５にトラックアドレスとして記録され、このアドレスを参照して再生及び記録の制御が実
施されることが好ましい。
【００１６】
図２には、図１に示される多層光ディスク１００に情報を記録し、また、記録された情
報を消去し、この多層光ディスク１００から情報を再生する光ディスク記録再生装置のブ
ロック図が示されている。図１に示されるように、多層光ディスク１００は、モータ３０
２によって所定の速度で回転され、このディスク３０１には、光ヘッド３０３の対物レン
ズ３０５から光ビームが照射されている。従って、光ビームは、第０記録層１０２及び第
１記録層１０３のピット列或いはグルーブに沿ってガイドされて第０記録層１０２及び第
１記録層１０３のリードインエンボス領域１０５或いはグルーブ領域１０４−０、１０４
−１が光ビームによって検索される。
【００１７】
対物レンズ３０５は、対物レンズ駆動系３０６によってフォーカス方向に駆動されて常
に検索すべき第０記録層１０２及び第１記録層１０３の一方に焦点が合わされてフォーカ
スした光ビームが照射される。また、対物レンズ３０５は、対物レンズ駆動系３０６によ
ってトラッキング方向に駆動されて対物レンズ３０５からの光ビームがリードインエンボ
ス領域１０５のピット列或いはグルーブ領域１０４−０、１０４−１のグルーブを追従し
ている。光ヘッド３０３は、半導体レーザ２０１を備え、この半導体レーザは、光源対物
レンズ３０５に向けて記録用光ビーム、或いは、再生用光ビームを発生する。対物レンズ
３０５からの光ビームは、コリメータレンズ２０２でコリメートされ、コリメートされた
光ビームがハーフプリズム２０３を介して対物レンズ３０５に入射される。対物レンズ３
０５で集光された光ビームは、第０記録層１０２及び第１記録層１０３に入射され、この
第０記録層１０２及び第１記録層１０３で反射されて対物レンズ３０５に戻され、この対
物レンズ３０５を通過してハーフプリズム２０３に戻される。
【００１８】
ハーフプリズム２０３では、反射光ビームの一部が反射されて投射レンズ２０４で集光
されて検出器２０５に照射される。検出器２０５からは、反射光ビームに応じた検出信号
が発生され、この検出信号は、再生系の回路３０７に供給される。再生系の回路３０７で
は、検出信号から再生信号を生成すると共に対物レンズ３０５のフォーカスの状態及びト
ラッキングの状態に対応するフォーカス信号及びトラッキング信号が生成され、再生信号
、フォーカス信号及びトラッキング信号がコントローラ３０８に与えられる。このコント
ローラ３０８は、再生モード、記録モードのいずれかが設定された際に、光源制御系３０
４を制御して再生モード、記録モードに対応する光ビームを発生させる。また、コントロ
ーラ３０８は、フォーカス信号及びトラッキング信号に応じて対物レンズ駆動系３０６を
制御し、対物レンズ３０５をフォーカス及びトラッキング状態に維持している。再生信号
は、必要に応じて外部の回路に供給され、外部回路で処理されて映像或いは音声として再
生される。
【００１９】
図２に示す記録再生装置においては、始めに、再生光ビームが光ディスクの第０記録層
３０９に集光されてそのリードインエンボス領域３１０のピット列を検索してこの光ディ
スクに関する属性或いは使用条件等の情報が読み出され、コントローラ３０８に与えられ
る。その後、ユーザーの要求に従って、光ビームが制御されて光ビームが第０記録層、或
いは、第１記録層３１１の任意の箇所に集光され、情報の記録或いは再生が実行される。
ここで、既に説明したようにエンボス領域１０５から非記録領域、及び又は、第１記録層
１０３における実質的に情報が記録可能な領域のアドレスが読み出されてこの領域では、
情報の記録或いは再生制御が無効に制御されることが好ましい。
【００２０】
図３（ａ）は、上述した記録再生装置において、光ディスク１００の第０記録層１０２
が選択されてこのリードインエンボス領域１０５の外周部に光ビーム２１０が向けられて
いる状態における光ビームの照射領域を示している。この図３（ａ）において、符号Ｒｘ
は、光ディスク１００の回転中心を示している。光ビームは、第０記録層１０２にフォー
カスされてその表面上にビームスポットを形成しているが、一部の光ビーム２０４は、こ
の第０記録層１０２を透過して第１記録層１０３に入射される。この光ビームは、第０記
録層１０２でビームスポットを形成していることから、発散して第１記録層１０３に入射
され、ビームスポットに比べて比較的大きく広がる背景パターンをこの第１記録層３１１
に形成する。この背景パターンが形成された第１記録層１０３上は、実質的に同一の物理
的特性を有しているグルーブ領域１０４−１に定められていることから、この背景パター
ンからの反射光線は、極端に不均一となるような輝度パターンを生ぜず、入射光ビームに
対応した分布を有する比較的均一な輝度パターンとして反射される。従って、第０記録層
１０２上のビームスポットから反射された反射光ビームに背景パターンからの輝度パター
ンがノイズとして混入しても検出器２０５上では、背景パターンからの輝度パターンの影
響が比較的小さく、再生信号の信頼性が低下されることが防止される。
【００２１】
リードインエンボス領域１０５の外周部に光ビーム２１０が向けられている状態に限ら
ず、第０記録層１０２の何れの領域、例えば、光ディスク１００の内周部のグルーブ領域
が光ビームで検索されても背景パターンからの輝度パターンの影響が比較的小さく、再生
信号の信頼性が低下されることが防止される。
【００２２】
図３（ｂ）は、上述した記録再生装置において、光ディスク１００の第１記録層１０３
が選択されてこの選択された第１記録層１０３にフォーカスされている状態を示している
。しかも、この図３（ｂ）では、この第０記録層１０２のリードインエンボス領域１０５
の外周部外であって、グルーブ領域１０４−０の最内周部を通過した光ビーム２１０がこ
の選択された第１記録層１０３にフォーカスされている。従って、光ビーム２１０は、リ
ードインエンボス領域１０５とグルーブ領域１０４−０との境界外を通過して第１記録層
１０３に照射される。この図３（ｂ）に示されるように光ビーム２１０が第０記録層１０
２のグルーブ領域１０４−０を通過される際にそのグルーブで屈折作用を受けるが、第１
記録層１０３のグルーブ領域１０４−１にビームスポットを形成するに影響を与えない。
【００２３】
また、第１記録層１０３のグルーブ領域１０４−１上のビームスポットからの反射光ビ
ームは、再び第０記録層１０２のグルーブ領域１０４−０を通過されるが、やはりこの領
域は、実質的に物理特性が均一な領域であることから、再生信号の信頼性が低下されるこ
とはない。
【００２４】
図３（ａ）に示される光学系において、光ビームが第０記録層１０２のリードインエン
ボス領域１０５の外周エッジ及びグルーブ領域１０４−０を通過して第１記録層１０３に
フォーカスされる場合には、第１記録層１０３に向けられる光ビームは、リードインエン
ボス領域１０５とグルーブ領域１０４−０とは、その物理的特性が異なることから、リー
ドインエンボス領域１０５で変調を受けて第１記録層１０３にフォーカスされる。また、
グルーブ領域１０４−１上のビームスポットから反射された反射ビームは、同様に第０記
録層１０２のリードインエンボス領域１０５の外周エッジ及びグルーブ領域１０４−０を
通過して検出器２０５に向けられる。この反射光ビームは、リードインエンボス領域１０
５とグルーブ領域１０４−０とは、その物理的特性が異なることから、リードインエンボ
ス領域１０５で変調を受けて検出器２０５に向けられる。この検出器２０５で検出される
反射光ビームは、リードインエンボス領域１０５での変調に伴うノイズ成分を含んでいる
ことから、再生信号の信頼性が低下される虞がある。
【００２５】
光ビームが第０記録層１０２のリードインエンボス領域１０５を通過して第１記録層１
０３にフォーカスされる場合には、当然に検出器２０５に向けられる反射光ビームは、リ
ードインエンボス領域１０５での変調に伴うノイズ成分を含んでいることから、再生信号
の信頼性が低下される虞がある。
【００２６】
そこで、既に説明したように、リードインエンボス領域１０５を検索する為の光ビーム
であって、このリードインエンボス領域１０５を通過した光ビームが第１記録層１０３に
照射される全ての領域は、全て非記録領域に定められ、この非記録領域を除くグルーブ領
域１０４−１が第１記録層１０３における実質的に情報が記録可能な領域に定められてい
る。このように定めることによって、非記録領域が検索されて検出器２０５に向けられる
反射光ビームがリードインエンボス領域１０５での変調に伴うノイズ成分を含んでいても
、この領域が非記録領域であることから、検出器２０５からの検出信号が再生信号として
取り扱われることが防止される。
【００２７】
第１記録層１０３上の記録可能な領域の境界は、図３（ｂ）を参照して説明したように
、第１記録層１０３にフォーカスされる集束光ビームがリードアウトエンボス領域１０５
の外周端外のグルーブ領域１０４−０を通過してビームスポットをグルーブ領域１０４−
１上に形成する範囲を限界として定められる。具体的には、第１記録層１０３上の記録可
能な領域は、第０記録層１０２におけるリードインエンボス１０５とグルーブ領域１０４
−０との境界半径よりも若干外側に定められる。この境界からの距離は、第１記録層１０
３にフォーカスした状態における第０記録層１０２上のスポット半径と、両層間の許容偏
芯量の和を見込むことによって定めても良い。尚、非記録領域には、有効な情報を記録し
ないことを前提としているが、テスト記録、同期パターン、あるいは緩衝効果等を目的と
して、無効な情報の記録領域とすることは妨げるものではない。
【００２８】
なお、図３（ｃ）は、第０記録層１０２のリードインエンボス１０５において、その内
周部を光ビームで検索する場合における再生光ビームにノイズが混入することを示してい
る。リードインエンボス１０５の内周端に集束光ビームによってビームスポットが形成さ
れる場合、このビームスポットが形成された第０記録層１０２を通過して光ビームが第１
記録層１０３に向けられる。ビームスポットからの光ビームは、第１記録層１０３上にビ
ームパターンを形成するが、このパターンが形成された領域において、グルーブ領域１０
４が連続していれば、その内では、物理的特性が略均一であることから、既に述べたよう
にグルーブの影響が小さく、再生信号の信頼性が低下されることはない。しかし、パター
ンが形成された領域において、グルーブ領域１０４の終端が設けられ、その内でグルーブ
が途切れる場合には、第１記録層１０３上のビームパターン内にグルーブの領域と他の領
域、例えば、鏡面領域とが混在し、物理的特性が異なることとなり、第０記録層１０２の
リードインエンボス１０５からの反射光ビームには、物理的特性が異なることに伴うノイ
ズ成分を含まれ、再生信号の信頼性が低下される虞がある。
【００２９】
このことから、第１記録層１０３の影響を受けるリードインエンボス１０５の領域３４
０は、無効な情報のピット列とし、リードイン情報として有効なピット列はその外側に設
けることが好ましい。第１記録層１０３の影響を受ける第０記録層１０２の領域は、ピッ
ト列を設けないでリードインエンボス１０５の領域に定めず、第１記録層１０３のグルー
ブ領域１０４−１が第０記録層１０２のピット列領域よりも内周まで延出されても良い。
【００３０】
上述したように、光ディスクは、片面２層の構造を有し、リードインエンボスは、その
両層に設けられず、しかも、片層だけに設けることによって、互いの層の影響を抑制し、
再生の信頼性を向上することができる。
【００３１】
図４は、この発明の第２の実施の形態に係る多層光ディスクを示している。図４に示す
ように記録可能な記録層１０２、１０３が透明基板１０１中に２層積層されている。この
光ディスクの実質的な構造は、図１に示される光ディスク１００と同様であるので、同一
部分には、同一符号を付してその説明を省略する。図４に示される光ディスク１００は、
図１に示す光ディスク１００と異なり、第０記録層１０２には、リードインエンボス領域
１０５が設けられず、その最内周までグルーブ領域１０４−０に定められている。これに
対して、第１記録層１０３内周にリードインエンボス領域１０５が設けられ、その外周が
グルーブ領域１０４−１に定められている。ここで、第０記録層１０２上の記録可能な領
域は、第１記録層１０３にフォーカスされる集束光ビームがリードインエンボス領域１０
５の外周端外のグルーブ領域に向けられる際に集束光ビームが第０記録層１０２を通過す
る領域を限界として定められる。このような構造にあっても、第１の実施形態と同等の効
果を得ることができる。
【００３２】
尚、３層以上を積層した光ディスクであっても、リードインエンボスはいずれか１層の
みに設けることで、上述した実施例と同様にこの発明の光ディスクの実現が可能である。
即ち、リードインエンボスを設けた１つの記録層に対して他の記録層に関して上述した全
ての条件を満足させることによって、２層以上の多層構造を有する光ディスクであっても
リードインエンボスの影響なしに情報を正確に再生することができ、また、リードインエ
ンボスの情報を正確に再生することが可能となる。
【００３３】
また、この発明の実施の形態の説明には、ＤＶＤ−ＲＡＭと同様に、最内周にリードイ
ンエンボスを設ける場合を述べているが、これに限らず、最外周にリードインエンボスが
設けられる場合であっても同様にこの発明が適用されることは明らかである。
【図面の簡単な説明】
【００３４】
【図１】この発明の第１の実施の形態係る多層光ディスクの構造を概略的に示す破断斜視図である。
【図２】図１に示した多層光ディスクに情報を記録し、再生する記録再生装置を概略的に示すブロック図である。
【図３】（ａ）から（ｃ）は、図１に示した多層光ディスクにおける記録或いは再生における光ビームの作用を説明するための説明図である。
【図４】この発明の第２の実施形態に係る多層光ディスクの構造を概略的に示す破断斜視図である。
【符号の説明】
【００３５】
１００．．．光ディスク
１０１．．．光ディスク基板
１０２．．．第０記録層
１０３．．．第１記録層
１０４−０，１０４−１．．．グルーブ領域
１０５．．．リードインエンボス領域
３０２．．．モータ
３０３．．．光ヘッド
３０４．．．光源制御系
３０５．．．対物レンズ
３０６．．．駆動系
３０７．．．再生系
３０８．．．コントローラ
【図１】
2006252771.tif 000003
【図２】
2006252771.tif 000004
【図３】
2006252771.tif 000005
【図４】
2006252771.tif 000006